【手続補正書】
【提出日】平成23年3月29日(2011.3.29)
【手続補正１】
【補正対象書類名】特許請求の範囲
【補正対象項目名】全文
【補正方法】変更
【補正の内容】
【特許請求の範囲】
【請求項１】
平たいテープ（２）によって物品（７）を梱包するための装置であって、
平たいテープのテープガイド通路（１７）を有する少なくとも１つのテープガイドフレーム（９）と、
前記テープガイド通路（１７）に前記テープ（２）を送るためのテープ駆動部（６）と、を具備し、前記テープガイド通路（１７）の狭い側部を開くオープン装置が、前記テープガイドフレーム（９）に配置されており、
前記テープ駆動部（６）は、前記テープ（２）が前記テープガイド通路（１７）に贈られる第１の位置から、形成されたループが前記物品（７）の周囲を締める第２の位置へと移動可能であり、
前記締めたテープループ（２８）を閉じる動作の完了前に、新たに、テープ（２）が、テープループ（２８）を形成するように、テープ供給部（３）から前記テープガイド通路（１７）に送られる装置において、
前記オープン装置は、前記テープガイド通路（１７）の前記狭い側部を覆った閉位置から、前記テープガイド通路（１７）の前記狭い側部を開いた開位置へと移動可能なように、固定された前記テープガイドフレーム（９）に移動可能に装着された少なくとも１つのカバー部材（１６）を有することと、
少なくとも１つの押出し部（１９）が、前記テープガイドフレーム（９）に配置されており、前記押出し部は、前記オープン装置が前記開位置にあるとき、開いた側部を通って前記テープガイド通路（１７）に形成された前記テープループを押し出すことと、を特徴とする装置。
【請求項２】
前記テープ駆動部（６）は、枢動可能であるか移動可能であることを特徴とする請求項１の装置。
【請求項３】
前記カバー部材（１６）は、前記平たいテープのテープガイド通路（１７）に対して横方向に移動可能に、前記テープガイドフレーム（９）に装着されていることと、
前記カバー部材は、前記テープガイド通路（１７）に枢動可能に装着されていることと、の少なくとも一方を含み、
前記テープガイドフレーム（９）は、複数の肢部を有し、また、
前記少なくとも１つのカバー部材（１６）は、前記テープガイドフレーム（９）の各肢に装着されており、
好ましくは、この装置は、全てのカバー部材（１６）を同期して駆動させるオープン駆動部（２４）を有することを特徴とする請求項１又は２の装置。
【請求項４】
さらに、前記物品の周囲を締める前記テープループ（２８）の両端を接合するためのクロージャアセンブリ（１０）を具備することを特徴とする請求項１ないし３のいずれか１の装置。
【請求項５】
前記クロージャアセンブリ（１０）は、溶着装置であることを特徴とする請求項４の装置。
【請求項６】
テープ（２）によって物品（７）を梱包するための方法であって、
テープ（２）が、テープループ（２８）を形成するように、テープ駆動部（６）によって、テープ供給部（３）からテープガイドフレーム（９）のテープガイド通路（１７）に送られ、
前記テープガイド通路（１７）の狭い側部が、オープン装置によって開けられ、前記テープ（２）が、前記テープガイド通路（１７）の前記狭い側部を通って出て、
前記テープループ（２８）が、前記物品（７）の周囲を締め、
前記締めたテープループ（２８）が、前記テープ供給部（３）から切り離され、
前記締めたテープループ（２８）を閉じるために、このテープループの両端が、一緒に接合され、
前記締めたテープループ（２８）を閉じる動作の完了前に、新たに、テープ（２）が、テープループ（２８）を形成するように、テープ供給部（３）から前記テープガイド通路（１７）に送られ、
前記テープ駆動部（６）は、前記テープ（２）が前記テープガイド通路（１７）に贈られる第１の位置から、形成されたループが前記物品（７）の周囲を締める第２の位置へと移動可能である方法において、
前記オープン装置は、前記テープガイド通路（１７）の前記狭い側部を覆った閉位置から、前記テープガイド通路（１７）の前記狭い側部を開いた開位置へと移動可能なように、前記テープガイドフレーム（９）に移動可能に装着された少なくとも１つのカバー部材（１６）を有することと、
少なくとも１つの押出し部（１９）が、前記テープガイドフレーム（９）に配置されており、前記押出し部は、前記オープン装置が前記開位置にあるとき、開いた側部を通って前記テープガイド通路（１７）に形成された前記テープループを押し出すことと、を特徴とする方法。
【請求項７】
前記カバー部材（１６）は、前記テープガイドフレーム（９）に対して移動可能であるか枢動可能であるかのいずれか一方であることを特徴とする請求項６の方法。
【請求項８】
複数のカバー部材（１６）が、オープン駆動部（２４）によって同期して駆動されることを特徴とする請求項６又は７の方法。
【請求項９】
前記テープ駆動部（６）は、枢動可能であることを特徴とする請求項６の方法。
【手続補正２】
【補正対象書類名】明細書
【補正対象項目名】０００３
【補正方法】変更
【補正の内容】
【０００３】
独国特許出願公開第６０１ ０８ ４７６ Ｔ２号は、テープガイドフレームのオープン装置が、テープガイド通路の狭い側部を開くような梱包機を開示している。この文献の図面の図１０ないし図１２から理解されることができるように、このテープガイド通路は、フレームのようなアーチ形部材に収容されている。この部材は、ほぼＣ形の断面形状であり、テープガイド通路を囲んでいる。断面を見ると、このＣ形部材は、アーチ形プレートとして参照されるものに、互いに平行な２つの肢部の各自由端部で押圧される。このアーチ形プレートは、テープガイドフレームの固定部材を形成している。テープガイド通路を有するＣ形部材は、この部材の平行な２つの肢部の方向に、アーチ形プレートから離れるように引っ張られることができる。Ｃ形部材が、固定されたアーチ形プレートから離れるように引っ張られたとき、Ｃ形部材の互いに平行な２つの肢部の間の通路が、開かれる。そして、テープループが、アーチ形プレートの近くに保たれ、このアーチ形プレートの内部で、径方向に出される。そして、このテープループが、梱包される物品の周囲で、径方向内側に引っ張られることができる。
【手続補正３】
【補正対象書類名】明細書
【補正対象項目名】００４９
【補正方法】変更
【補正の内容】
【００４９】
前記テープガイド通路から出されたテープループは、梱包される物品７の周囲をしっかりと締めるまで、テープ駆動部６によって締められることができる。テープ供給部に接合されるテープループの端部は、梱包面よりも下で、クロージャアセンブリ１０で迅速に留められ、テープ供給部から出される。そして、両端が、クロージャアセンブリ１０によって一緒に溶着される。この動作の間、テープ駆動部は、図１０に示されたテープガイドフレーム９の下に、位置を戻すように枢動されることができる。この間に、前記複数のカバー部材１６は、図７に示された位置へと戻るように移動され、テープガイド通路１７を覆う。このようにして、溶着動作が終わる前に、新しいテープループがテープガイド通路に受けられることができ、梱包される物品７は、梱包面の外側に搬送される。
以下に、本出願の出願当初の特許請求の範囲に記載された発明を付記する。
［１］平たいテープ（２）によって物品（７）を梱包するための装置であって、平たいテープのテープガイド通路（１７）を有する少なくとも１つのテープガイドフレーム（９）と、前記テープガイド通路（１７）に前記テープ（２）を送るためのテープ駆動部（６）と、を具備し、前記テープガイド通路（１７）の狭い側部を開くオープン装置が、前記テープガイドフレーム（９）に配置されている装置において、前記オープン装置は、前記テープガイド通路（１７）の前記狭い側部を覆った閉位置から、前記テープガイド通路（１７）の前記狭い側部を開いた開位置へと移動可能なように、前記テープガイドフレーム（９）に移動可能に装着された少なくとも１つのカバー部材（１６）を有することを特徴とする装置。
［２］前記カバー部材（１６）は、前記平たいテープのテープガイド通路（１７）に対して横方向に移動可能に、前記テープガイドフレーム（９）に装着されていることを特徴とする［１］の装置。
［３］前記カバー部材は、前記テープガイドフレームに枢動可能に装着されていることを特徴とする［１］又は［２］の装置。
［４］前記テープガイドフレーム（９）は、複数の肢部を有し、また、前記少なくとも１つのカバー部材（１６）は、前記テープガイドフレーム（９）の各肢部に装着されていることを特徴とする［１］ないし［３］のいずれか１の装置。
［５］前記複数のカバー部材（１６）の全てを同期して駆動するオープン駆動部（２４）を有することを特徴とする［４］の装置。
［６］少なくとも１つの押出し部（１９）が、前記テープガイドフレーム（９）に配置されており、前記押出し部は、前記オープン装置が開位置にあるとき、開いた狭い側部を通って前記テープガイド通路（１７）の外側に、このテープガイド通路（１７）に形成されたテープループを押し出すことを特徴とする［１］ないし［５］のいずれか１の装置。
［７］前記テープ駆動部（６）は、前記テープ（２）が前記テープガイド通路（１７）に送られる第１の位置から、形成されたループが前記物品（７）の周囲を締める第２の位置へと移動可能であることを特徴とする［１］ないし［６］のいずれか１の装置。
［８］前記テープ駆動部（６）は、枢動可能であることを特徴とする［７］の装置。
［９］前記テープ駆動部（６）は、移動可能であることを特徴とする［７］の装置。
［１０］さらに、前記物品の周囲を締める前記テープループ（２８）の両端を接合するためのクロージャアセンブリ（１０）を具備することを特徴とする［１］ないし［９］のいずれか１の装置。
［１１］前記クロージャアセンブリ（１０）は、溶着装置であることを特徴とする［１０］の装置。
［１２］テープ（２）によって物品（７）を梱包するための方法であって、テープ（２）が、テープループ（２８）を形成するように、テープ供給部（３）からテープガイド通路（１７）に送られ、前記テープループ（２８）が、前記物品（７）の周囲を締め、前記締めたテープループ（２８）が、前記テープ供給部（３）から切り離され、前記締めたテープループ（２８）を閉じるために、このテープループの両端が、一緒に接合される方法において、前記締めたテープループ（２８）を閉じる動作の完了前に、新たに、テープ（２）が、テープループ（２８）を形成するように、テープ供給部（３）から前記テープガイド通路（１７）に送られることを特徴とする方法。
［１３］前記テープループが前記物品（７）の周囲を締める前に、前記テープガイド通路（１７）の狭い側部が、開かれ、前記テープ（２）が、この狭い側部を通って前記テープガイド通路（１７）から出ることを特徴とする［１２］の方法。
［１４］テープガイドフレーム（９）に移動可能に装着された少なくとも１つのカバー部材（１６）が、前記テープガイド通路（１７）の前記狭い側部を覆った閉位置から、前記テープガイド通路（１７）の前記狭い側部を開いた開位置へと移動されることを特徴とする［１３］の方法。
［１５］前記カバー部材（１６）は、前記テープガイドフレーム（９）に対して移動可能であることを特徴とする［１４］の方法。
［１６］前記カバー部材は、前記テープガイドフレーム（９）に対して枢動されることを特徴とする［１４］又は［１５］の方法。
［１７］複数のカバー部材（１６）が、オープン装置（２４）によって同期して駆動されることを特徴とする［１２］ないし［１６］のいずれか１の方法。
［１８］少なくとも１つの押出し部（１９）が、前記開いた狭い側部を通って前記テープガイド通路（１７）に、及び前記テープガイド通路（１７）の外側に、形成された前記テープループ（２８）を押し出すことを特徴とする［１２］ないし［１７］のいずれか１の方法。
［１９］テープ駆動部（６）が、第１の位置から第２の位置へと移動され、また、前記第１の位置に戻され、このテープ駆動部（６）は、前記第１の位置で、前記テープガイド通路（１７）に前記テープ（２）を送り、また、前記第２の位置で、前記物品（７）の周囲に形成された前記ループ（２８）を締めることを特徴とする［１２］ないし［１８］のいずれか１の方法。
［２０］前記テープ駆動部（６）は、枢動可能であることを特徴とする［１９］の方法。
［２１］前記テープ駆動部（６）は、移動可能であることを特徴とする［１９］の方法。